(57)【要約】【課題】香りの拡散させるための開口領域を大きく確保できる装飾具を提供する。【解決手段】上部開口２３Ａを介して芳香物４を収容可能な容器２と、環状を成すことにより容器２を対象部Ｎに吊下可能な線状部材３と、を備える装飾具１であって、容器２における上部開口２３Ａの上方には、左右方向に延びる貫通孔２５，２５が形成されており、線状部材３を貫通孔２５，２５に挿通させ、貫通孔２５，２５を介して容器２を線状部材３に吊下した状態において、貫通孔２５，２５の近傍に位置する線状部材３の一部が上部開口２３Ａの上方略中心部を通るように配置される。【選択図】図４
2018175016.tif 000002
【特許請求の範囲】
【請求項１】
上部開口を介して芳香物を収容可能な容器と、環状を成すことにより前記容器を対象部に吊下可能な線状部材と、を備える装飾具であって、
前記容器における上部開口の上方には、左右方向に延びる貫通孔が形成されており、
前記線状部材を前記貫通孔に挿通させ、前記貫通孔を介して前記容器を前記線状部材に吊下した状態において、前記貫通孔の近傍に位置する前記線状部材の一部が前記上部開口の上方略中心部を通るように配置されることを特徴とする装飾具。
【請求項２】
前記貫通孔は、前記上部開口よりも上方の左右縁部に一対に形成されていることを特徴とする請求項１に記載の装飾具。
【請求項３】
前記線状部材は、複数の環状部材から成るチェーンであることを特徴とする請求項１または２に記載の装飾具。
【請求項４】
前記容器は、前後方向の一方に切欠き部が形成されていることを特徴とする請求項１ないし３のいずれかに記載の装飾具。
【請求項５】
前記容器は、シルバーで形成されたネックレストップであることを特徴とする請求項１ないし４のいずれかに記載の装飾具。
【発明の詳細な説明】
【技術分野】
【０００１】
本発明は、芳香物を収容可能なペンダント型の装飾具に関する。
【背景技術】
【０００２】
首や手首などの身体やカバンやキーケース等の対象部に装飾部材をチェーン等の線状部材により吊下して装飾するペンダント型の装飾具が広く知られている。このような装飾具にあっては、装飾部材を容器状に形成し、該装飾部材内に香水や精油等の芳香剤を染み込ませた芳香物を収容することで、装飾だけでなく香りも楽しむことができるようなものがある。
【０００３】
この種の装飾具としては、例えば、特許文献１のように開口部を有し有底となっている容器と、容器内に収容される芳香剤を染み込ませた芳香物と、開口部に設けられた雌ネジ部に螺合可能な雄ネジ部を有する蓋と、蓋に設けられるリングに挿通される線状部材と、を備え、装飾部材の開口部を蓋により閉塞することで、芳香物が開口部から抜け出すことを規制できるようになっているものがある。蓋には、芳香物の香りを放出する貫通孔が形成されている。
【先行技術文献】
【特許文献】
【０００４】
【特許文献１】実開平６−３８６２８号公報（第４頁、第１図）
【発明の概要】
【発明が解決しようとする課題】
【０００５】
しかしながら、特許文献１の装飾具にあっては、芳香物の抜け出しを規制するために貫通孔を有する蓋で開口部を閉塞していることから、芳香物の香りを放出するための開口領域を大きく確保できず、香りの拡散を効率よく行うことができないという問題があった。
【０００６】
本発明は、このような問題点に着目してなされたもので、香りの拡散を効率よく行うことができる装飾具を提供することを目的とする。
【課題を解決するための手段】
【０００７】
前記課題を解決するために、本発明の装飾具は、
上部開口を介して芳香物を収容可能な容器と、環状を成すことにより前記容器を対象部に吊下可能な線状部材と、を備える装飾具であって、
前記容器における上部開口の上方には、左右方向に延びる貫通孔が形成されており、
前記線状部材を前記貫通孔に挿通させ、前記貫通孔を介して前記容器を前記線状部材に吊下した状態において、前記貫通孔の近傍に位置する前記線状部材の一部が前記上部開口の上方略中心部を通るように配置されることを特徴としている。
この特徴によれば、貫通孔を介して容器を線状部材に吊下した状態において、線状部材の一部が上部開口の上方略中心部を通るように配置されることから、上部開口を閉塞せずに線状部材により容器内に収容された芳香物の上部開口からの抜け出しを規制することができる構造であるため、上部開口の開口領域を大きく確保し、芳香物の香りの拡散を効率よく行うことができる。
【０００８】
前記貫通孔は、前記上部開口よりも上方の左右縁部に一対に形成されていることを特徴としている。
この特徴によれば、線状部材が左右の貫通孔に亘って張架されることにより、容器内に収容された芳香物の上部開口からの抜け出しを好適に規制できる。
【０００９】
前記線状部材は、複数の環状部材から成るチェーンであることを特徴としている。
この特徴によれば、複数の環状部材からなるチェーンを用いることにより、線状部材の強度を確保しながら、線状部材による芳香剤の香りの拡散の阻害を抑制できる。
【００１０】
前記容器は、前後方向の一方に切欠き部が形成されていることを特徴としている。
この特徴によれば、切欠き部が形成されている側に偏向的に香りを拡散させることができる。
【００１１】
前記容器は、シルバーで形成されたネックレストップであることを特徴としている。
この特徴によれば、シルバーは熱伝導性が高いことから、使用者の体温を芳香物に伝達することができるため、使用者の着用状態において香りの拡散を促進することができる。
【図面の簡単な説明】
【００１２】
【図１】実施例における装飾具の使用状態を示す説明図である。
【図２】ネックレストップと芳香物との関係性を示す背面斜視図である。
【図３】（ａ）は装飾具を斜め前方から見た正面斜視図、（ｂ）は装飾具を斜め後方から見た背面斜視図である。
【図４】（ａ）は装飾具の使用状態において芳香物が上方に移動した状態を示す背面斜視図、（ｂ）は同じく上面図、（ｃ）は同じく背面断面である。
【図５】芳香物の香りが放出される方向を示す説明図である。
【図６】（ａ）はチェーンによる芳香物の抜け出し規制状態を解除した状態を示す背面斜視図、（ｂ）はネックレストップから芳香物を取出す形態の一例を示す側面図である。
【図７】容器の変形例を示す斜め前方から見た正面斜視図である。
【図８】容器の変形例を示す正面断面図である。
【発明を実施するための形態】
【００１３】
本発明に係る装飾具を実施するための形態を実施例に基づいて以下に説明する。
【実施例】
【００１４】
実施例に係る装飾具につき、図１から図８を参照して説明する。以下、図１の紙面手前側を装飾具の正面側（前方側）とし、その前方側から見たときの上下左右方向を基準として説明する。
【００１５】
図１に示されるように、本実施例の装飾具１は、使用者の首Ｎ（対象部）に吊下され、ネックレスとして使用される装飾具である。この装飾具１は、ネックレストップ２（容器）と、環状を成すことによりネックレストップ２を首Ｎに吊り下げるためのチェーン３（線状部材）と、から主に構成されている。
【００１６】
尚、本実施例では、装飾具１がネックレスである形態を例示するが、これに限定されるものではなく、例えば、手首等の体の別の部位に取付けられるペンダント型の装身具であってもよいし、カバンやキーケース等に取付けられるペンダント型のアクセサリであってもよい。つまり、装飾具を取付ける対象部は自由に変更することができ、対象部との関係に合わせてチェーン３の長さや形状も自由に変更することができる。
【００１７】
図２に示されるように、ネックレストップ２は、鋳造により略円柱状に形成されたシルバー製の容器であり、上下方向に延設する略筒状に形成された壁部２１と、この壁部２１の下端部に連続する底部２２と、から主に構成されている。壁部２１は下端が底部２２により閉塞され、その下方側の内部に収容部２４が形成されている。また、壁部２１の上端には開口部２３を備え、この開口部２３を介して香水や精油等を染み込ませた芳香物４を収容部２４に遊挿可能となっている。
【００１８】
本実施例における芳香物４は、粘土を素焼きすることで形成された略円柱状の陶器に香水や精油等の芳香剤を染み込ませたものであり、収容部２４に対し遊嵌状態で収容可能、かつ、収容部２４内において上下に反転不能に形成されている。この芳香物４は、粘土を素焼きすることで形成された多孔質部材であることから保水性・透過性に優れ、且つ硬質であることから繰り返し使用することができる。尚、芳香物４は、香りの元となる香水や精油等を吸収可能な部材であれば種々の吸収部材に変更できる。
【００１９】
図２及び図４（ｃ）に示されるように、壁部２１の上部側の左右両側には、チェーン３を挿通可能な貫通孔２５，２５が一対設けられている。そのため、貫通孔２５，２５の下端から底部２２までの部分が、実質的に芳香物４が収容される収容部２４として機能する。尚、以下では、説明の便宜上、特に図４（ｃ）に示すように、ネックレストップ２における貫通孔２５，２５の下端部（仮想線Ｌ１で示す貫通孔２５，２５との水平方向の接線）よりも下方に位置する部分を容器基部２Ａ（容器）、貫通孔２５，２５の下端部よりも上方に位置する部分（仮想線Ｌ１から壁部２１の上縁部２１ａとの水平方向の接線を示す仮想線Ｌ２までの部分）を容器延出部２Ｂとして説明する。
【００２０】
貫通孔２５，２５は、ネックレストップ２における容器延出部２Ｂの左右縁部２６Ｌ，２６Ｒにそれぞれ向き合って配設されている。
【００２１】
また、容器基部２Ａの上端には、収容部２４と開口部２３とを連通する上部開口２３Ａ（ネックレストップ２を仮想線Ｌ１に沿って切断したときに形成される容器基部２Ａ側の開口（図２の網掛け部分参照））が形成されている。また、壁部２１の内周面２１ｃは、ネックレストップ２の上下方向に亘り同径を成している。
【００２２】
図２から図４に示されるように、壁部２１の上縁部２１ａ（容器延出部２Ｂの上縁部）は、前方側から後方側に向けて漸次低位となる傾斜を有しており、上縁部２１ａの後方側には、下方に凹設された切欠き部２１ｂが形成されている。尚、切欠き部２１ｂは、貫通孔２５，２５の上端部よりも低い位置まで延設されている（図５参照）。
【００２３】
図３（ａ），（ｂ）に示されるように、チェーン３は、シルバーなどの金属で形成された複数の環状部材３０，３０，…が互いに交差しながら連ねられることで線状に形成されたものである。環状部材３０自体は、金属製であることから伸縮不能であるが、環状部材３０，３０，…の各孔部３０ａ内で隣接する環状部材３０，３０同士が相対的に移動可能であることからチェーン３の形状を変形させることが可能である。
【００２４】
また、チェーン３は、一端部に取付けられた略Ｔ字状の係止部３１と、他端部に取付けられた環状の被係止部３２と、を備えている。チェーン３は、係止部３１と被係止部３２とが非係合状態である有端状態（図３（ａ）参照）と、係止部３１と被係止部３２とが係合状態である無端状態（図３（ｂ）参照）と、に変更可能であり、使用者の首Ｎ（図１参照）への着脱を容易に行うことができる。尚、係止部３１及び被係止部３２の形状は自由に変更してもよい。
【００２５】
これまで、装飾具１の構造について説明してきたが、次いで、装飾具１の使用方法について、図１〜図５を用いて説明する。
【００２６】
まず、図２に示されるように、香水又は精油などの芳香剤を染み込ませた芳香物４を、ネックレストップ２の収容部２４に開口部２３及び上部開口２３Ａを介して収容する。次いで、ネックレストップ２の貫通孔２５，２５に有端状態にあるチェーン３の一方端部を挿通させた状態で、係止部３１と被係止部３２とを係合させる。
【００２７】
図４（ａ）及び（ｃ）に示されるように、ネックレストップ２が貫通孔２５，２５を介してチェーン３に吊下された状態にあるときには、貫通孔２５，２５の上端部にチェーン３がそれぞれ当接し、チェーン３は、ネックレストップ２及び芳香物４の重量により貫通孔２５，２５間に張架される。
【００２８】
ネックレストップ２は左右縁部２６Ｌ，２６Ｒに形成された貫通孔２５，２５により左右２点でチェーン３に支持されていることから、その姿勢が安定するため、チェーン３の水平方向への捻じれを防止し、ネックレストップ２の装飾面を好適な方向や角度に維持できる。また、貫通孔２５，２５はネックレストップ２の上下方向の中央部よりも上方側に配置され、芳香物４はネックレストップ２の上下方向の中央部よりも下方側に配置されているため、ネックレストップ２及び芳香物４の重量により、ネックレストップ２の収容部２４側が下方に位置した状態で安定し、ネックレストップ２の開口部２３が下方側を向いてしまうといった現象を抑制できる。
【００２９】
また、図４（ｂ）に示されるように、貫通孔２５，２５は容器延出部２Ｂの左右縁部２６Ｌ，２６Ｒにそれぞれ向き合って配設されている。即ち貫通孔２５，２５は、上部開口２３Ａの左右縁部の鉛直方向上方に配設されているため、チェーン３を貫通孔２５，２５に挿通させ、貫通孔２５，２５を介してネックレストップ２をチェーン３に吊下した状態において、貫通孔２５，２５同士の間に張架された部分のチェーン３は、上部開口２３Ａの上方略中心部を通るように配置されることになる。
【００３０】
また、芳香物４の直径Ｌ３は、上部開口２３Ａの内周側の半径Ｌ４よりも大きく形成されている（図４（ｂ）参照）。
【００３１】
このように、上部開口２３Ａの上方略中心部にチェーン３が位置することにより、ネックレストップ２を使用者の首Ｎに吊下させた状態において、例えば、歩行時の振動等により芳香物４が収容部２４内で上下に移動するように力が働く場合であっても、貫通孔２５，２５間に張架されたチェーン３に阻害されて芳香物４の開口部２３（上部開口２３Ａ）からの抜け出しが規制されるため、ネックレストップ２から芳香物４が脱落することを防止することができる。
【００３２】
また、図４（ｂ）からも明らかなように、チェーン３は上部開口２３Ａの内径よりも細く、該上部開口２３Ａの開口領域を塞ぐ領域が小さい。言い換えれば、上部開口２３Ａの開口領域の大半は、収容部２４の外部と連通している。したがって、従来のように、蓋などにより芳香物４の抜け出しを規制する形態に比べて、上部開口２３Ａの開口領域を芳香物４の香りの放出用の孔として大きく確保することができ、効率よく芳香物４の香りを外部に放出できる。
【００３３】
また、チェーン３は、複数の環状部材３０，３０，…からなり、環状部材３０，３０，…は、それぞれ線材を環状に形成することで中央に孔部３０ａ，３０ａ，…を有していることから、チェーン３の強度を確保しながら、上部開口２３Ａの開口領域を塞ぐ領域が極めて小さく、チェーン３による芳香物４の香りの拡散の阻害を抑制できる。換言すると、環状部材３０，３０，…の孔部３０ａ，３０ａ，…も芳香物４の香りの放出用の孔として使用することができる。
【００３４】
また、チェーン３を挿通するための貫通孔２５，２５は、壁部２１の内側に連通しているため、上部開口２３Ａを通った香りの一部が貫通孔２５，２５を通って外部に放出されるため効率よく芳香物４の香りを拡散することができる。
【００３５】
また、図５に示すように、ネックレストップ２を使用者の首Ｎに吊下させた状態にあっては、使用者の胸元Ｂに接触した状態で配置される。前述のように、壁部２１の上縁部２１ａにおける後方側には、切欠き部２１ｂが形成されており、切欠き部２１ｂから偏向的に芳香物４の香りを放出できるようになっている。すなわち、切欠き部２１ｂが使用者側に位置している場合には、使用者側に向けて芳香物４の香りを偏向的に放出できる。
【００３６】
さらに、壁部２１の上縁部２１ａは、前方側から後方側に向けて低位となるように漸次傾斜していることから、芳香物４の香りの拡散方向を規制し、切欠き部２１ｂが形成されている方向に向けて芳香物４の香りがより放出されやすい。尚、本実施例では、切欠き部２１ｂが使用者側に配置される形態を例示したが、切欠き部２１ｂを前方側に配置することで、前方側に芳香物４の香りを放出するようにしてもよい。つまり、芳香物４の香りの放出方向を選択することができる。
【００３７】
また、前述のように、ネックレストップ２は、シルバーで形成されており、熱伝導性が高いことから、使用者の体温（図５における点線矢印参照）を芳香物４に伝達することができ、体温により芳香物４を温めることで香りの放出を促進することができる。
【００３８】
図６（ａ）に示されるように、芳香物４をネックレストップ２から取出す際には、チェーン３による芳香物４の抜け出しを規制した状態を解除する必要がある。本実施例においては、例えばネックレストップ２を把持するなどして、貫通孔２５，２５間で撓むようにチェーン３を変形させることにより該チェーン３による芳香物４の抜け出しを規制した状態を解除することができる。この状態で開口部２３を下に向けることで、芳香物４をネックレストップ２から簡便に取出すことができる。
【００３９】
また、切欠き部２１ｂは、貫通孔２５，２５の上端部よりも低い位置まで延設されているため、図にて詳述しないが、切欠き部２１ｂを介して貫通孔２５，２５間に張架されるチェーン３の下部に指の先端や先の細い棒状の部材を挿入することができ、貫通孔２５，２５間のチェーン３を撓むように変形させる作業を行うこともできる。
【００４０】
また、芳香物４をネックレストップ２から取出す一例として、例えば、図６（ｂ）に示すように、壁部２１の前端部２１ｄ（後端よりも上方に延出される部分）の外周面に撓ませたチェーン３を引っ掛けた状態で、芳香物４をネックレストップ２から取出してもよい。これによれば、開口部２３を下に向けた際に芳香物４をチェーン３に干渉させることなく取出すことができる。尚、壁部２１の前端部２１ｄの外周面にチェーン３を係止させるための突起部などを設けて、開口部２３を下に向けた際に前端部２１ｄの外周面にチェーン３を引っ掛けた状態が解除されないようにしてもよい。
【００４１】
尚、本実施例では、貫通孔２５，２５間で撓むようにチェーン３を変形させることによりチェーン３による芳香物４の抜け出しを規制した状態を解除する形態を例示したが、チェーン３の係止部３１と被係止部３２とを非係合状態とし、ネックレストップ２からチェーン３を取外すことでチェーン３による芳香物４の抜け出し規制状態を解除するようにしてもよい。
【００４２】
また、ネックレストップの変形例としては、例えば図７に示すようなものがある。ネックレストップ５は、容器基部５０と、円弧状のアーム５２（容器延出部）とを備えて主に構成されている。容器基部５０は、筒状の壁部５１の上端部に上部開口５ａを備えている。アーム５２は、容器基部５０の壁部５１の上端縁部５１ａの前後両側を繋ぐように形成されており、このアーム５２と容器基部５０の上端縁部５１ａとにより、ネックレストップ５の上部開口５ａの上方に左右方向に延びる貫通孔５３を構成している。この貫通孔５３は上部開口５ａと連通している。
【００４３】
そのため、チェーン３を貫通孔５３に挿通させ、貫通孔５３を介してネックレストップ５をチェーン３’に吊下した状態において、チェーン３’における貫通孔５３に当接する当接部分及び当接部分の長手方向両側の部分がアーム５２に直交するように、即ち上部開口５ａの上方略中心部を通るように配置されることになる。
【００４４】
図８に示されるように、壁部５１の内周縁とアーム５２の内側左右端縁との隙間Ｄ１の寸法Ｌ５は、芳香物４の直径Ｌ３よりも大きくなっている（Ｌ３＜Ｌ５）。これによれば、貫通孔５３にチェーン３’を挿通していない状態において、芳香物４を傾けることによって隙間Ｄ１を通じて芳香物４を出し入れできるようになっている。
【００４５】
また、貫通孔５３にチェーン３’を挿通した状態において、該チェーン３’の所定の太さ分隙間Ｄ１が塞がることとなる。このときのチェーン３’と壁部５１の内周縁との隙間Ｄ２の寸法Ｌ６は、芳香物４の直径Ｌ３よりも小さくなっている（Ｌ３＞Ｌ６）。これによれば、振動などにより上部開口５ａから突出した芳香物４がチェーン３と当接することで、上部開口５ａと貫通孔５３とを通ってネックレストップ５の外方に脱落することが防止される。尚、チェーン３’は、芳香物４のネックレストップ５の上部開口５ａから抜け出しを規制できる太さのものを使用すればよい。
【００４６】
このように、容器に対する貫通孔の数量は１つであってもよく、また、貫通孔が形成される延出部は、前記実施例の容器延出部２Ｂのように、筒状の壁部２１が上部開口２３Ａよりも上方に延出されるものに限られず、容器の上縁部の左右縁部に上部開口よりも上方に延出して部分的に形成されるものであってもよい。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、チェーン３は、金属製の環状部材３０，３０，…により線状に形成された細い鎖状のものである態様として説明したが、これに限らず、樹脂製や革製の紐などでもよい。尚、芳香物の取出しやすさの観点からは、伸長不能であり、且つ湾曲変形可能な線状部材を用いることが好ましい。
【００４９】
また、前記実施例では、芳香物４の直径Ｌ３が上部開口２３Ａの内周側の半径Ｌ４よりも大きく形成される形態を例示したが、芳香物の直径と上部開口の半径は、チェーンの太さを考慮して、チェーンを貫通孔に挿通した状態で芳香物がネックレストップから脱落しない寸法関係としてもよい。
【００５０】
また、前記実施例では、ネックレストップ２は、鋳造により有底略円柱状に形成された金属製（シルバー製）であるとして説明したが、これに限らず、樹脂製等であってもよい。また、ネックレストップ２は、壁部２１と底部２２とが別体に形成されたものが溶接により取付けられた態様であってもよいし、削り出し加工によって形成されたものであってもよく、その製造方法を限定するものではない。
【００５１】
また、前記実施例では、貫通孔２５，２５がネックレストップ２を鋳造した後、穿設されてもよいし、抜き型成形により鋳造時に貫通孔２５，２５が形成されるようになっていてもよい。
【００５２】
また、前記実施例では、貫通孔２５，２５の上端部がネックレストップ２の上下中央部よりも上方側に配置されている形態を例示したが、ネックレストップ２の底部２２側の重量が該ネックレストップ２における貫通孔２５，２５の上端部よりも開口部２３側の重量よりも大きくなっていればよい。これによれば、ネックレストップ２を吊下した状態において、重量バランスにより該ネックレストップ２の姿勢を安定させることができる。
【００５３】
また、ネックレストップ２は、壁部２１の外周面等に模様や文字等の装飾が施されていてもよいし、立体造形された装飾物が取付けられていてもよい。また、ネックレストップ２は、収容部２４を有していれば、その外形形状は自由に形成されていてもよい。
【００５４】
また、芳香物４の香りの放出を大量にしたい場合には、香り放出用の孔を壁部２１に別途に設けてもよい。また、芳香物４の香りの放出を少量にしたい場合には、線状部材の太さを太くして上部開口部の開口領域を塞ぐ領域を大きくすればよい。
【符号の説明】
【００５５】
１                装飾具
２                ネックレストップ（容器）
２Ａ              容器基部
２Ｂ              容器延出部
３，３’          チェーン（線状部材）
４                芳香物
５                ネックレストップ（容器）
５ａ              上部開口
２１ｂ            切欠き部
２３              開口部
２３Ａ            上部開口
２４              収容部
２５              貫通孔
２６Ｌ，２６Ｒ    左右縁部
３０              環状部材
３０ａ            孔部
５０              容器基部
５２              アーム
５３              貫通孔
Ｄ１，Ｄ２        隙間
【図１】
2018175016.tif 000003
【図２】
2018175016.tif 000004
【図３】
2018175016.tif 000005
【図４】
2018175016.tif 000006
【図５】
2018175016.tif 000007
【図６】
2018175016.tif 000008
【図７】
2018175016.tif 000009
【図８】
2018175016.tif 000010